(57)【要約】【課題】ビビリ現象を抑制し、且つ、音質の低下を抑制することが可能になる音声再生装置および音声再生方法を提供する。【解決手段】第一音声信号を用いて音声を出音するスピーカ２０と、入力された第二音声信号に含まれる周波数成分のうち、スピーカ２０が取り付けられた筐体３０の固有の振動周波数から求められる第一周波数帯域の出音時のレベルを第一レベル以下に抑制し、さらに、第一周波数帯域に隣接する第二周波数帯域の出音時のレベルを第二レベル以下に抑制して、第一音声信号を生成する信号制御部１２とを備える。【選択図】図５
2015041803.tif 000002
【特許請求の範囲】
【請求項１】
第一音声信号を用いて音声を出音するスピーカと、
入力された第二音声信号に含まれる周波数成分のうち、前記スピーカが取り付けられた筐体の固有の振動周波数から求められる第一周波数帯域の出音時のレベルを第一レベル以下に抑制し、さらに、前記第一周波数帯域に隣接する第二周波数帯域の出音時のレベルを第二レベル以下に抑制して、前記第一音声信号を生成する信号制御部とを備える
音声再生装置。
【請求項２】
前記信号制御部は、前記音声を同じ帯域幅の複数の周波数帯域に分割し、前記複数の周波数帯域の一部を前記第二周波数帯域として特定し、前記第二周波数帯域のそれぞれについて、前記第二周波数帯域に隣接する周波数帯域と前記第二周波数帯域との振幅の大小関係を維持するように、前記振幅の上限値を前記第二レベルとして設定する
請求項１に記載の音声再生装置。
【請求項３】
前記信号制御部は、前記複数の周波数帯域別に、複数のユニットを備え、
前記複数のユニットのそれぞれは、前記複数の周波数帯域のうちの１つの周波数帯域を通過させるバンドパスフィルタと、前記１つの周波数帯域に対応する前記振幅の上限値を用いて、前記バンドパスフィルタから出力される信号の振幅を制限するリミッタとを有する
請求項２に記載の音声再生装置。
【請求項４】
前記信号制御部は、
前記複数の周波数帯域別に前記音声信号の振幅を求め、前記複数の周波数帯域別の振幅で形成される包絡線を導出し、
前記包絡線の極大値および極小値の位置と数とを変化させないように、前記第二周波数帯域および前記第二周波数帯域の前記振幅の上限値を設定する
請求項２または３に記載の音声再生装置。
【請求項５】
前記信号制御部は、前記包絡線における極小値を取る周波数帯域のうち、前記第一周波数帯域を囲む２つの極小値を取る周波数帯域の間にある前記第一周波数帯域以外の周波数帯域を、前記第二周波数帯域として設定する
請求項４に記載の音声再生装置。
【請求項６】
第一音声信号を用いて音声を出音するスピーカに対し、前記第一音声信号を出力する音声再生装置により実行される音声再生方法であって、
入力された第二音声信号に含まれる周波数成分のうち、前記スピーカが取り付けられた筐体の固有の振動周波数から求められる第一周波数帯域の出音時のレベルを第一レベル以下に抑制するステップと、
前記第二信号に含まれる周波数成分のうち、前記第一周波数帯域に隣接する第二周波数帯域の出音時のレベルを第二レベル以下に抑制するステップとを含む
音声再生方法。
【発明の詳細な説明】
【技術分野】
【０００１】
本発明は、本発明は、音声を出音する音声再生装置、および音声再生装置により実行される音声再生方法に関する。
【背景技術】
【０００２】
スピーカが取り付けられた筐体を備える音声再生装置では、スピーカから出力された音声によって筐体が共振する、いわゆるビビリ現象が発生する場合がある。ビビリ現象は、例えば、スピーカから出力される音声のうち、筐体に共振を生じさせる特定の周波数帯域（以下、「共振周波数帯域」と称する）の音声により生じる。
【０００３】
ビビリ現象が発生すると、共振周波数帯域の音声による筐体の振動（びりつき）、および、共振周波数帯域のうち、人の可聴周波数帯域の音声により生じる異音あるいは音の歪み等が発生する場合があるという問題がある。特に、共振周波数帯域の音量が大きい音声をスピーカから出力する場合には、ビビリ現象がより顕著になり、音質を損なう場合があるという問題がある。
【０００４】
このようなビビリ現象を抑制する構成として、例えば、ビビリ現象が発生する周波数帯域を検出し、検出された周波数帯域の音圧のレベルを減衰させることにより、ビビリ現象の発生を抑制する音声再生装置が開示されている（例えば、特許文献１参照）。
【先行技術文献】
【特許文献】
【０００５】
【特許文献１】特開２０１１−７９３８９号公報
【発明の概要】
【発明が解決しようとする課題】
【０００６】
しかしながら、特許文献１に記載の音声再生装置では、ビビリ現象が発生する周波数帯域の音量を減衰させるため、音質が低下する可能性があるという問題がある。
【０００７】
本発明は上述の課題を解決するためになされたものであり、ビビリ現象を抑制し、且つ、音質の低下を抑制することが可能になる音声再生装置および音声再生方法を提供することを目的とする。
【課題を解決するための手段】
【０００８】
上記目的を達成するために、本発明の一態様に係る音声再生装置は、第一音声信号を用いて音声を出音するスピーカと、入力された第二音声信号に含まれる周波数成分のうち、前記スピーカが取り付けられた筐体の固有の振動周波数から求められる第一周波数帯域の出音時のレベルを第一レベル以下に抑制し、さらに、前記第一周波数帯域に隣接する第二周波数帯域の出音時のレベルを第二レベル以下に抑制して、前記第一音声信号を生成する信号制御部とを備える。
【０００９】
上記構成の音声再生装置では、ビビリ現象が発生する第一周波数帯域だけでなく、当該第一周波数帯域に隣接する第二周波数帯域のレベル（振幅）も調整するので、音質の低下を抑制することが可能になる。
【００１０】
例えば、前記信号制御部は、前記音声を同じ帯域幅の複数の周波数帯域に分割し、前記複数の周波数帯域の一部を前記第二周波数帯域として特定し、前記第二周波数帯域のそれぞれについて、前記第二周波数帯域に隣接する周波数帯域と前記第二周波数帯域との振幅の大小関係を維持するように、前記振幅の上限値を前記第二レベルとして設定しても良い。
【００１１】
上記構成の音声再生装置では、第二周波数帯域に隣接する周波数帯域と第二周波数帯域との振幅の大小関係を維持するように、第二周波数帯域のレベルを調整するので、音質の低下をより適切に抑制することが可能になる。
【００１２】
また、前記信号制御部は、前記複数の周波数帯域別に、複数のユニットを備え、前記複数のユニットのそれぞれは、前記複数の周波数帯域のうちの１つの周波数帯域を通過させるバンドパスフィルタと、前記１つの周波数帯域に対応する前記振幅の上限値を用いて、前記バンドパスフィルタから出力される信号の振幅を制限するリミッタとを有していても良い。
【００１３】
上記構成の音声再生装置では、簡単な構成で、音質の低下を抑制できる。
【００１４】
また、前記信号制御部は、前記複数の周波数帯域別に前記音声信号の振幅を求め、前記複数の周波数帯域別の振幅で形成される包絡線を導出し、前記包絡線の極大値および極小値の位置と数とを変化させないように、前記第二周波数帯域および前記第二周波数帯域の前記振幅の上限値を設定しても良い。
【００１５】
上記構成の音声再生装置では、包絡線の極大値および極小値の位置と数とを変化させないように、第二周波数領域のレベルを調整するので、音質の低下をより適切に抑制することが可能になる。
【００１６】
また、前記信号制御部は、前記包絡線における極小値を取る周波数帯域のうち、前記第一周波数帯域を囲む２つの極小値を取る周波数帯域の間にある前記第一周波数帯域以外の周波数帯域を、前記第二周波数帯域として設定しても良い。
【００１７】
上記構成の音声再生装置では、包絡線における極小値を取る周波数帯域のうち、第一周波数帯域を囲む２つの周波数帯域と、当該２つの周波数帯域の間にある第一周波数帯域以外の周波数帯域とを、第二周波数帯域として設定するので、適切な範囲で、第二周波数帯域を設定できる。レベルの調整を行う範囲を小さい範囲にすることが可能になる。
【００１８】
なお、本発明は、このような特徴的な処理部を備える音声再生装置として実現することができるだけでなく、音声再生装置に含まれる特徴的な処理部が実行する処理をステップとする音声再生方法として実現することができる。また、音声再生装置に含まれる特徴的な処理部としてコンピュータを機能させるためのプログラムまたは音声再生方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読み取り可能な非一時的な記録媒体あるいはインターネット等の通信ネットワークを介して流通させることができるのは、言うまでもない。
【発明の効果】
【００１９】
本発明によると、ビビリ現象を抑制し、且つ、音質の低下を抑制することが可能になる音声再生装置および音声再生方法を提供することが可能になる。
【図面の簡単な説明】
【００２０】
【図１】音声再生装置の一例を示すブロック図である。
【図２】実施の形態１の音声再生部の構成を示すブロック図である。
【図３】実施の形態１の音声再生部の動作を示すフローチャートである。
【図４】第二音声信号の周波数帯域別の振幅の一例を示すグラフである。
【図５】実施の形態１の第一音声信号の周波数帯域別の振幅の一例を示すグラフである。
【図６】従来の第一音声信号の周波数帯域別の振幅の一例を示すグラフである。
【図７】実施の形態２の音声再生部の構成を示すブロック図である。
【図８】実施の形態３の音声再生部の動作を示すフローチャートである。
【発明を実施するための形態】
【００２１】
＜課題の詳細＞
上述したように、音声再生装置では、ビビリ現象が生じる場合がある。
【００２２】
ビビリ現象により、人の可聴周波数帯域で筐体に振動が生じた場合には、異音が発生し、音の歪みが生じる場合がある。また、ビビリ現象により、筐体に振動が生じた場合、筐体の近傍に配置された部材と筐体とが断続的に接触して打音が発生する可能性がある。特に、大きい音量で音声を再生する場合、例えば、０ｄＢｆｓに近い音楽ソースを、スピーカの定格に近い大音量で再生した場合、筐体の振動が大きくなり、異音の発生等の問題がより顕著になると考えられる。
【００２３】
ここで、上述したように、ビビリ現象は、筐体の振動により発生する。従って、スピーカが取り付けられた筐体の強度を上げれば、ビビリ現象を抑えることができると考えられる。
【００２４】
しかし、近年、例えば、ＴＶ等の製品では、筐体の薄型化および軽量化が求められている。このため、筐体の強度を上げることなく、ビビリ現象を抑える技術が望まれている。
【００２５】
筐体の薄型化および軽量化に対応しながら、ビビリ現象を抑制する構成としては、上述した特許文献１に記載の音声再生装置のように、スピーカから出力される音声のうち、ビビリ現象が発生する周波数帯域の音量を抑制する構成が考えられる。具体的には、ビビリ現象が発生する周波数帯域の音量を、一定のレベル以下に抑えることが考えられる。
【００２６】
しかしながら、ビビリ現象の生じる共振周波数の周波数帯域のみ、音量を抑制した場合、音質が低下するという問題がある。
【００２７】
以下、本発明の実施の形態について、図面を用いて詳細に説明する。なお、各図は、必ずしも各寸法あるいは各寸法比等を厳密に図示したものではない。
【００２８】
また、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２９】
（実施の形態１）
実施の形態１の音声再生装置および音声再生方法について、図１〜図５を基に説明する。
【００３０】
本実施の形態の音声再生装置は、隣接する周波数帯域間での音圧のレベル（振幅）の大小関係を変えないように、ビビリ現象が発生する周波数帯域（第一周波数帯域）の音圧のレベルの抑制に加え、第一周波数帯域に隣接する第二周波数帯域の音圧のレベルの調整を行う。
【００３１】
なお、ビビリ現象が生じる周波数とは、具体的には、音声再生装置を収容する筐体に固有の振動周波数である。より具体的には、音声再生装置のスピーカから出音された音声と筐体との共振周波数である。また、ビビリ現象が生じる周波数のうち、人の可聴域の周波数（例えば、２０Ｈｚ以上かつ１４０００〜１６０００Ｈｚ以下）では、異音が発生すると考えられる。
【００３２】
図１は、音声再生装置の一例を示すブロック図である。本実施の形態の音声再生装置は、図１に示すように、ＴＶ（ｔｅｌｅｖｉｓｉｏｎ）１である。ＴＶ１は、筐体３０内に、音声再生部１０Ａ（１０）を構成する回路と、スピーカ２０とを備えている。
【００３３】
＜１−１．音声再生部１０Ａの構成＞
音声再生部１０Ａの構成について、図２を基に説明する。図２は、音声再生部１０Ａの構成を示すブロック図である。
【００３４】
音声再生部１０Ａは、ＬＳＩ（Ｌａｒｇｅ  Ｓｃａｌｅ  Ｉｎｔｅｇｒａｔｉｏｎ：大規模集積回路）等、入力された第二音声信号に対し、ビビリを低減するための処理を実行する回路を備えて構成されている。
【００３５】
音声再生部１０Ａは、図２に示すように、音声信号入力部１１と、信号制御部１２と、音声増幅器１３とを備えている。
【００３６】
音声信号入力部１１は、外部から第二音声信号を受け付け、信号制御部１２に出力する回路である。
【００３７】
信号制御部１２は、ユニットＬＶ（ＬＶ１〜ＬＶｎ）と、閾値設定部ＳＴとを備えている。なお、ｎは２以上の整数であり、より詳細には、２のべき乗であっても良い。
【００３８】
ユニットＬＶ（ＬＶ１〜ＬＶｎ）は、同じ帯域幅の複数の周波数帯域ｆｒ１〜ｆｒｎ毎に設けられている。
【００３９】
ユニットＬＶｉ（ｉ＝１〜ｎ）は、バンドパスフィルタ（Ｂａｎｄ−ｐａｓｓ  ｆｉｌｔｅｒ、ＢＰＦ）Ｂｉと、リミッタＬＩｉとを備えている。
【００４０】
バンドパスフィルタＢｉは、入力された第二音声信号のうち、特定の周波数帯域を通過させるフィルタである。バンドパスフィルタＢ１〜Ｂｎの周波数帯域ｆｒ１〜ｆｒｎは、重複しないように、且つ、バンドパスフィルタＢ１〜Ｂｎの何れも通過できない周波数が無いように、設定されている。より詳細には、第二音声信号を、同じ帯域幅のｎ個の周波数帯域ｆｒ１〜ｆｒｎに分割し、バンドパスフィルタＢ１〜Ｂｎのそれぞれに、周波数帯域ｆｒ１〜ｆｒｎの１つを割り当てている。なお、実際に入力される個々の第二音声信号について適宜周波数帯域を設定するのではなく、第二音声信号として入力される可能性のある周波数の全範囲をｎ個に分割して、各バンドパスフィルタＢ１〜Ｂｎの周波数帯域ｆｒ１〜ｆｒｎを設定する。以下の説明では、周波数帯域ｆｒ１〜ｆｒｎのうち、共振周波数帯域をｆｒｊとする。
【００４１】
リミッタＬＩｉは、バンドパスフィルタＢｉから出力された信号のレベル（振幅）を、後述する閾値設定部ＳＴにより設定される閾値（上限値）に制限する回路である。
【００４２】
閾値設定部ＳＴは、リミッタＬＩ１〜ＬＩｎに閾値を設定する回路である。閾値設定部ＳＴは、第二音声信号から周波数帯域ｆｒ１〜ｆｒｎの振幅を抽出する。閾値設定部ＳＴは、複数の周波数帯域ｆｒ１〜ｆｒｎのそれぞれについて、隣接する２つの周波数帯域の振幅の大小関係を維持するように、閾値を設定する。また、共振周波数帯域ｆｒｊの閾値は、ビビリ現象が発生しないと考えられる値であり、本実施の形態では、第二音声信号に拘わらず、固定値である。
【００４３】
＜１−２．音声再生部１０Ａの動作＞
音声再生部１０Ａの動作について、図３〜図５を基に説明する。図３は、本実施の形態における音声再生部１０Ａの動作を示すフローチャートである。
【００４４】
閾値設定部ＳＴは、音声信号入力部１１から第二音声信号を受け付け、周波数帯域別の振幅を取得する（Ｓ１０）。図４は、第二音声信号の周波数帯域別の振幅の一例を示すグラフである。なお、本実施の形態では、上述したように、第二音声信号の分割数ｎは２のべき乗、例えば、１６、３２等であり、第二音声信号は、周波数帯域ｆｒ１〜ｆｒｎに分割される。図４では、説明のため、第二音声信号の一部の周波数帯域ｆｒ１〜ｆｒ９を示している。図４において、実線は、ビビリ現象に対応して設けられた閾値ＬＴである。図４では、閾値ＬＴからわかるように、周波数帯域ｆｒ３が、ビビリ現象の発生する周波数帯域となっている。
【００４５】
閾値設定部ＳＴは、ビビリ現象の発生する周波数帯域ｆｒ３の振幅が、第一レベル以下の場合（Ｓ１１の「第一レベル以下」）、第二周波数帯域の設定および第二周波数帯域の閾値の設定を行わず、処理を終了する。
【００４６】
閾値設定部ＳＴは、ビビリ現象の発生する周波数帯域ｆｒ３の振幅が、第一レベルより大きい場合（Ｓ１１の「第一レベルより大きい」）、周波数帯域ｆｒ３に対応するリミッタＬＩ３に、閾値（第一レベル）を設定する。
【００４７】
閾値設定部ＳＴは、周波数帯域別の振幅の包絡線を導出する（Ｓ１２）。図４では、包絡線ＬＥ１は、一点鎖線で示されている。図４に示すように、包絡線ＬＥ１は、２つの極大値ＰＴ１、ＰＴ２と、３つの極小値ＰＢ１〜ＰＢ３とを有している。
【００４８】
閾値設定部ＳＴは、包絡線ＬＥ１を用いて第二周波数帯域を設定する（Ｓ１３）。閾値設定部ＳＴは、極小値ＰＢ１〜ＰＢ３をとる３つの周波数帯域のうち、ビビリ現象の発生する周波数帯域ｆｒ３を囲む２つの周波数帯域ｆｒ１およびｆｒ５の間にある周波数帯域ｆｒ３以外の周波数帯域ｆｒ２およびｆｒ４を、第二周波数帯域として設定する。本実施の形態では、さらに、極小値ＰＢ１およびＰＢ２をとる周波数帯域ｆｒ１およびｆｒ５を、第二周波数帯域として設定する。
【００４９】
なお、極小値ＰＢ１およびＰＢ２をとる周波数帯域ｆｒ１およびｆｒ５については、第二周波数帯域として設定しなくても構わない。また、周波数帯域ｆｒ１およびｆｒ５と、ビビリ現象が生じる周波数帯域ｆｒ３の閾値との大小関係に応じて、第二周波数帯域として設定するか否かを動的に変更しても良い。例えば、周波数帯域ｆｒ１およびｆｒ５のレベルが、周波数帯域ｆｒ３の振幅の上限値に応じて設定された所定値よりも大きい場合は、第二周波数帯域として設定する。周波数帯域ｆｒ１およびｆｒ５のレベルが、所定値よりも小さい場合は、第二周波数帯域として設定しないように構成してもよい。
【００５０】
閾値設定部ＳＴは、第二周波数帯域の振幅の上限値（第二レベル）を設定する（Ｓ１４）。閾値設定部ＳＴは、第二周波数帯域である周波数帯域ｆｒ１、ｆｒ２、ｆｒ４、ｆｒ５のそれぞれについて、隣接する周波数帯域との間で振幅の大小関係が変化しないように、振幅の上限値を設定する。周波数帯域ｆｒ３の振幅の上限値は、ビビリ現象に応じて決まるため、固定値が設定されている。
【００５１】
図４では、周波数帯域ｆｒ２およびｆｒ４の振幅の上限値は、周波数帯域ｆｒ３より小さい値に設定する。周波数帯域ｆｒ１の振幅の上限値は、周波数帯域ｆｒ２より小さい値に設定する。周波数帯域ｆｒ５の振幅の上限値は、周波数帯域ｆｒ４より小さい値に設定する。
【００５２】
より詳細には、例えば、周波数帯域ｆｒ３のレベルに対する閾値の比を、周波数帯域ｆｒ１〜ｆｒ５のレベルに乗算したものを、振幅の上限値として設定する。あるいは、周波数帯域ｆｒ１〜ｆｒ５の間で、周波数帯域ｆｒ３の振幅の上限値に応じた包絡線を導出し、当該包絡線に基づいて周波数帯域ｆｒ１〜ｆｒ５の振幅の上限値を求めてもよい。
【００５３】
図５は、第二音声信号をレベル調整した第一音声信号の周波数帯域別の振幅の一例を示すグラフである。図５では、各周波数帯域の振幅の大小関係、包絡線ＬＥ２の極大値ＰＴ１１、ＰＴ２の数および極小値ＰＢ１１、ＰＢ１２、ＰＢ３の位置および数が図４と同じになっている。
【００５４】
閾値設定部ＳＴは、ステップＳ１４で求めた振幅の上限値（第二レベル）を、リミッタＬＩ１〜ＬＩｎの閾値として設定する（Ｓ１５）。
【００５５】
＜１−３．効果等＞
本実施の形態のＴＶ１（音声再生装置の一例）は、ビビリ現象を発生させる周波数帯域だけでなく、当該周波数帯域に隣接する周波数帯域についても、音量を抑制するので、スピーカ２０から出力される音声の品質が低下するのを抑制することが可能になる。
【００５６】
本実施の形態のＴＶ１では、上述したように、第二周波数帯域に隣接する周波数帯域と第二周波数帯域との大小関係を維持するように、振幅の上限値を設定している。より具体的には、包絡線の極大値および極小値の数を維持するように、振幅の上限値を設定している。これは、大小関係、より詳細には、包絡線の極大値および極小値の数が変化すると、音質が低下すると考えられる為である。
【００５７】
ここで、図６は、ビビリ現象を発生させる周波数帯域ｆｒ３のみの音量を制限した場合に、スピーカ２０から出力される音声の一例を示している。図６では、包絡線ＬＥ３の極大値は、ＰＴ２１、ＰＴ２２、ＰＴ２３の３つになっており、極小値は、ＰＢ１、ＰＢ２１、ＰＢ２２、ＰＢ３の４つになっている。図６に示す包絡線ＬＥ３の極大値および極小値の数は、図４に示す包絡線ＬＥ１の極大値および極小値の数とは異なっている。このため、図６の場合、音質が低下すると考えられる。
【００５８】
これに対し、本実施の形態では、図５に示すように、包絡線ＬＥ２の極大値および極小値の数は、図４に示す包絡線ＬＥ１の極大値および極小値の数と同じになっている。図５から、本実施の形態のＴＶ１は、音声の品質の低下を抑制できていることがわかる。
【００５９】
（実施の形態２）
実施の形態２の音声再生装置および音声再生方法について、図７および図８を基に説明する。
【００６０】
本実施の形態の音声再生装置は、実施の形態１と同様に、隣接する周波数帯域間での音圧のレベル（振幅）の大小関係を変えないように、ビビリ現象が発生する周波数帯域（第一周波数帯域）の音圧のレベルの抑制に加え、第一周波数帯域に隣接する第二周波数帯域の音圧のレベルの調整を行う。
【００６１】
本実施の形態では、実施の形態１とは、音声再生部１０の構成が異なる場合について説明する。
【００６２】
本実施の形態の音声再生装置は、図１に示す実施の形態１と同様に、ＴＶ（ｔｅｌｅｖｉｓｉｏｎ）１である。ＴＶ１は、筐体３０内に、音声再生部１０Ｂ（１０）と、スピーカ２０とを備えている。
【００６３】
＜２−１．音声再生部１０Ｂの構成＞
音声再生部１０Ｂの構成について、図７を基に説明する。図７は、音声再生部１０Ｂの構成を示すブロック図である。
【００６４】
音声再生部１０Ｂは、入力Ｉ／Ｆ（ｉｎｔｅｒｆａｃｅ）１５と、ＣＰＵ（Ｃｅｎｔｒａｌ  Ｐｒｏｃｅｓｓｉｎｇ  Ｕｎｉｔ）１６と、記憶部１７と、出力Ｉ／Ｆ１８とを備えて構成されている。
【００６５】
入力Ｉ／Ｆ１５は、外部から第二音声信号を受け付ける。
【００６６】
ＣＰＵ１６は、記憶部１７から、本実施の形態の音声再生方法に含まれる各ステップを実行するためのコンピュータプログラム（ソフトウェア）を読み出し、当該コンピュータプログラムを実行することにより、本実施の形態の音声再生方法を実行する。ここでコンピュータプログラムは、所定の機能を達成するために、コンピュータに対する指令を示す命令コードが複数個組み合わされて構成されたものである。
【００６７】
ＣＰＵ１６は、入力Ｉ／Ｆ１５が取得した第二音声信号に対し、音声再生方法に含まれる各ステップを実行することにより、ビビリ現象の発生を抑制できる第一音声信号を生成する。ＣＰＵ１６は、生成した第一音声信号を後述する出力Ｉ／Ｆ１８を介してスピーカ２０に出力する。
【００６８】
記憶部１７は、ＲＡＭ（Ｒａｎｄｏｍ  Ａｃｃｅｓｓ  Ｍｅｍｏｒｙ）およびＲＯＭ（Ｒｅａｄ  Ｏｎｌｙ  Ｍｅｍｏｒｙ）等、任意の記憶回路を用いて構成されている。記憶部１７には、本実施の形態では、上述したコンピュータプログラム等が記憶されている。
【００６９】
出力Ｉ／Ｆ１８は、ＣＰＵ１６が生成した第一音声信号を、スピーカ２０に出力する。
【００７０】
＜２−２．音声再生部１０Ｂの動作＞
音声再生部１０Ｂの動作について、図８を基に説明する。図８は、本実施の形態における音声再生部１０Ｂの動作を示すフローチャートである。
【００７１】
ＣＰＵ１６は、入力Ｉ／Ｆ１５から第二音声信号を受け付けると、第二音声信号に対し、ウィンドウ処理を実行する（Ｓ２０）。ウィンドウ処理は、連続した時間系列を持つ第二音声信号を、特定の長さの複数のウィンドウ信号に分割する処理である。
【００７２】
ＣＰＵ１６は、ウィンドウ信号に対し、ＦＦＴ（Ｆａｓｔ  Ｆｏｕｒｉｅｒ  Ｔｒａｎｓｆｏｒｍ、高速フーリエ変換）処理を実行する（Ｓ２１）。ＦＦＴ処理は、時間領域のウィンドウ信号を周波数領域の信号に変換する処理である。
【００７３】
ＣＰＵ１６は、周波数領域の信号に対し、サブバンド処理を実行する（Ｓ２２）。サブバンド処理では、周波数領域の信号の各成分（係数）を１つのサブバンド（周波数帯域）とし、各サブバンドに対し、レベル（振幅）の調整を行う。
【００７４】
レベルの調整には、ビビリ現象が生じる第一周波数帯域に対するレベルの調整と、第一周波数帯域に隣接する第二周波数帯域に対するレベルの調整とが含まれる。
【００７５】
ＣＰＵ１６は、ビビリ現象が生じる第一周波数帯域のレベルが、第一レベルを超えている場合、第一周波数帯域のレベルを第一レベル以下に低減する。また、ＣＰＵ１６は、各周波数帯域のレベルから、包絡線を導出する。ＣＰＵ１６は、包絡線の極大値および極小値を求め、ビビリ現象が生じる第一周波数帯域の位置と包絡線の極小値の位置とに応じて、第二周波数帯域を設定する。なお、第二周波数帯域の設定方法は、実施の形態１と同じである。
【００７６】
ＣＰＵ１６は、さらに、第二周波数帯域のそれぞれに対し、第二レベルを設定し、第二周波数帯域のレベルを当該第二レベル以下に低減する。第二レベルの設定方法は、実施の形態１と同じである。ＣＰＵ１６は、第二周波数帯域の第二レベルを、隣接する周波数帯域との間で、振幅の大小関係が変化しないように設定する。
【００７７】
ＣＰＵ１６は、サブバンド処理後の周波数領域の信号に対し、Ｉ−ＦＦＴ（Ｉｎｖｅｒｓｅ  ＦＦＴ、逆高速フーリエ変換）処理を行い、時間領域のウィンドウ信号に逆変換する（Ｓ２３）。
【００７８】
ＣＰＵ１６は、ステップＳ２３において生成されたウィンドウ信号を用いて、連続した時間系列を持つ第一音声信号を生成する時間軸復元処理を実行する（Ｓ２４）。より詳細には、ＣＰＵ１６は、ウィンドウ信号を時間軸に沿って再配置し、ウィンドウ信号の端部の重複部分の加算処理を行う。
【００７９】
＜２−３．効果等＞
本実施の形態のＴＶ１（音声再生装置の一例）は、実施の形態１と同様に、ビビリ現象を発生させる周波数帯域だけでなく、当該周波数帯域に隣接する周波数帯域についても、音量を抑制するので、スピーカ２０から出力される音声の品質が低下するのを抑制することが可能になる。
【００８０】
なお、実施の形態１では、第二音声信号をＬＳＩ等の回路を用いて処理したのに対し、本実施の形態では、第二音声信号をソフトウェアで処理する場合について説明したが、何れの場合でも、スピーカ２０から出力される音声の品質が低下するのを抑制することが可能になる。
【００８１】
（他の実施の形態）
以上、本発明の実施の形態に係る音声再生装置について説明したが、本発明は、この実施の形態に限定されるものではない。
【００８２】
（１）例えば、音声再生装置は、ＴＶ１以外の機器、例えば、ＢＤ（Ｂｌｕ−ｒａｙ（登録商標）  Ｄｉｓｃ）プレーヤ等の音響機器に適用されても良い。
【００８３】
（２）実施の形態１では、音声再生装置が、１個のシステムＬＳＩを用いて構成されている場合について説明したが、これに限るものではない。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。
【００８４】
また、実施の形態２では、音声再生装置が、ＣＰＵ、ＲＯＭ、ＲＡＭ等から構成されるコンピュータシステムを用いて構成される場合について説明したが、これに限るものではない。コンピュータシステムは、マイクロプロセッサ、ハードディスクドライブ、ディスプレイユニット、キーボード、マウス等を備えていても良い。
【００８５】
さらにまた、実施の形態２において、コンピュータプログラムの一部または全部は、各装置に脱着可能なＩＣカードまたは単体のモジュールに記憶されていても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【００８６】
また、実施の形態２において、コンピュータプログラムまたはコンピュータプログラムからなるデジタル信号を、コンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【００８７】
また、本発明は、上記コンピュータプログラムまたは上記デジタル信号を、電気通信回線、無線または有線通信回線、インターネットを代表とするネットワーク、データ放送等を経由して伝送するものとしても良い。
【００８８】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【００８９】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【００９０】
さらに、上記実施の形態及び上記変形例をそれぞれ組み合わせるとしても良い。
【産業上の利用可能性】
【００９１】
本発明は、ビビリ現象が発生する可能性のある音声再生装置、例えば、ＴＶ、ＢＤプレーヤ等の音響機器等に有用である。
【符号の説明】
【００９２】
１    ＴＶ
１０、１０Ａ、１０Ｂ  音声再生部
１１  音声信号入力部
１２  信号制御部
１３  音声増幅器
１５  入力Ｉ／Ｆ
１６  ＣＰＵ
１７  記憶部
１８  出力Ｉ／Ｆ
２０  スピーカ
３０  筐体
Ｂ、Ｂ１〜Ｂｎ  バンドパスフィルタ
ＬＩ、ＬＩ１〜ＬＩｎ  リミッタ
ＬＶ、ＬＶ１〜ＬＶｎ  ユニット
ＳＴ  閾値設定部
【図１】
2015041803.tif 000003
【図２】
2015041803.tif 000004
【図３】
2015041803.tif 000005
【図４】
2015041803.tif 000006
【図５】
2015041803.tif 000007
【図６】
2015041803.tif 000008
【図７】
2015041803.tif 000009
【図８】
2015041803.tif 000010